(57)【要約】    【課題】  指間装着具を使用者の手や足のサイズによらずに安定して装着できるようにすること。    【解決手段】  本考案では、手又は足の指の間に装着する指間装着具において、指の平側又は甲側に装着される上下一対のプレートと、指の間に装着されるベルトとを有し、ベルトの基端部を一方のプレートに固定するとともに、ベルトの先端部を他方のプレートに取付位置の変更ができるように取付けた。特に、前記ベルトの先端部を取付けたプレートにスリットを形成するとともに、このスリットの左右側部にベルトの中途部を保持するベルト保持部を形成し、前記ベルトを構成する左右一対のベルト構成体をスリットに挿通するとともに、それぞれのベルト構成体をベルト保持部で保持し、それぞれのベルト構成体の先端部を左右側方へ向けて伸延させた。【選択図】      図１
0003110797.tif 000002
【実用新案登録請求の範囲】
【請求項１】
手又は足の指の間に装着する指間装着具において、
指の平側又は甲側に装着される上下一対のプレートと、指の間に装着されるベルトとを有し、
ベルトの基端部を一方のプレートに固定するとともに、ベルトの先端部を他方のプレートに取付位置の変更ができるように取付けたことを特徴とする指間装着具。
【請求項２】
前記ベルトの先端部を取付けたプレートにスリットを形成するとともに、このスリットの左右側部にベルトの中途部を保持するベルト保持部を形成し、前記ベルトを構成する左右一対のベルト構成体をスリットに挿通するとともに、それぞれのベルト構成体をベルト保持部で保持し、それぞれのベルト構成体の先端部を左右側方へ向けて伸延させたことを特徴とする請求項１に記載の指間装着具。
【請求項３】
前記ベルトの基端部を取付けたプレートにベルトの先端部を着脱自在に取付可能としたことを特徴とする請求項１又は請求項２に記載の指間装着具。
【請求項４】
前記上下のプレートの間に前記ベルトを被覆するカバーを取付けたことを特徴とする請求項１〜請求項３のいずれかに記載の指間装着具。
【請求項５】
前記プレート及びベルトは、補強材とこの補強材を被覆する表面材とからなり、補強材を表面材よりも硬くて薄い材質としたことを特徴とする請求項１〜請求項４のいずれかに記載の指間装着具。
【考案の詳細な説明】
【技術分野】
【０００１】
本考案は、手又は足の指の間に装着する指間装着具に関するものである。
【背景技術】
【０００２】
従来より、手又は足の指の間隔を保持するとともに指の付け根部分に刺激を与えるために指間装着具が使用されている。
【０００３】
たとえば、足の指間に装着する足用の指間装着具としては、特許文献１に開示されている円筒状の形態のものがあり、また、手の指間に装着する手用の指間装着具としては、特許文献２に開示されている断面「エ」字状の形態のものがある。
【特許文献１】特開２００５−３４４８８号公報
【特許文献２】実開平７−８８６５号公報
【考案の開示】
【考案が解決しようとする課題】
【０００４】
ところが、特許文献１に開示されている足用の指間装着具は、足の指の間に強制的に挿入して使用されるものであるために、異物感を感じやすく、使用者に不快感を与えてしまうものであった。
【０００５】
また、特許文献２に開示されている手用の指間装着具は、上下のプレートの間隔を変更することができないために、使用者の手に安定して装着することができなかった。
【課題を解決するための手段】
【０００６】
そこで、請求項１に係る本考案では、手又は足の指の間に装着する指間装着具において、指の平側又は甲側に装着される上下一対のプレートと、指の間に装着されるベルトとを有し、ベルトの基端部を一方のプレートに固定するとともに、ベルトの先端部を他方のプレートに取付位置の変更ができるように取付けることにした。
【０００７】
また、請求項２に係る本考案では、前記請求項１に係る本考案において、前記ベルトの先端部を取付けたプレートにスリットを形成するとともに、このスリットの左右側部にベルトの中途部を保持するベルト保持部を形成し、前記ベルトを構成する左右一対のベルト構成体をスリットに挿通するとともに、それぞれのベルト構成体をベルト保持部で保持し、それぞれのベルト構成体の先端部を左右側方へ向けて伸延させることにした。
【０００８】
また、請求項３に係る本考案では、前記請求項１又は請求項２に係る本考案において、前記ベルトの基端部を取付けたプレートにベルトの先端部を着脱自在に取付可能とした。
【０００９】
また、請求項４に係る本考案では、前記請求項１〜請求項３のいずれかに係る本考案において、前記上下のプレートの間に前記ベルトを被覆するカバーを取付けることにした。
【００１０】
また、請求項５に係る本考案では、前記請求項１〜請求項４のいずれかに係る本考案において、前記プレート及びベルトは、補強材とこの補強材を被覆する表面材とからなり、補強材を表面材よりも硬くて薄い材質とした。
【考案の効果】
【００１１】
そして、本考案では、以下に記載する効果を奏する。
【００１２】
すなわち、請求項１に係る本考案では、手又は足の指の間に装着する指間装着具において、指の平側又は甲側に装着される上下一対のプレートと、指の間に装着されるベルトとを有し、ベルトの基端部を一方のプレートに固定するとともに、ベルトの先端部を他方のプレートに取付位置の変更ができるように取付けることにしているために、ベルトの先端部の取付位置を変更するだけで上下のプレートの間隔を使用者の手又は足のサイズに応じた間隔に容易に変更することができ、使用者の手や足に安定して指間装着具を装着することができる。
【００１３】
また、請求項２に係る本考案では、ベルトの先端部を取付けたプレートにスリットを形成するとともに、このスリットの左右側部にベルトの中途部を保持するベルト保持部を形成し、ベルトを構成する左右一対のベルト構成体をスリットに挿通するとともに、それぞれのベルト構成体をベルト保持部で保持し、それぞれのベルト構成体の先端部を左右側方へ向けて伸延させることにしているために、左右のベルト構成体を左右側方へ向けて引っ張るだけでベルトの先端部の取付位置を変更することができ、上下のプレートの間隔を使用者の手又は足のサイズに応じた間隔に容易に変更することができる。
【００１４】
また、請求項３に係る本考案では、ベルトの基端部を取付けたプレートにベルトの先端部を着脱自在に取付可能としているために、ベルトを指に巻きつけることができ、使用者の手や足に安定して指間装着具を装着することができる。
【００１５】
また、請求項４に係る本考案では、上下のプレートの間に前記ベルトを被覆するカバーを取付けることにしているために、指間の間隔を広くしたり、指の付け根部分の刺激を強くしたりでき、また、ベルトの角部が指に直接接触しなくなって異物感を無くすことができる。
【００１６】
また、請求項５に係る本考案では、プレート及びベルトを補強材とこの補強材を被覆する表面材とで構成し、補強材を表面材よりも硬くて薄い材質としているために、補強材によって指間装着具の強度を増大させることができるとともに、柔らかい表面材が指に接触することになって指の表面に指間装着具を密着させることができる。
【考案を実施するための最良の形態】
【００１７】
以下に、本考案に係る指間装着具の具体的な構造について図面を参照しながら説明する。
【００１８】
図１〜図４に示すように、指間装着具１は、指の平側又は甲側に装着される上下一対のプレート2,3と、指の間に装着されるベルト４とによって構成しており、ベルト４の基端部を一方のプレート３に固定するとともに、ベルト４の先端部を他方のプレート２に取付位置の変更ができるように取付けている。
【００１９】
ベルト４は、平板状の左右一対のベルト構成体5,6で構成しており、図５に示すように、シート状の皮製の表面材７を中途部で折り曲げ、内側にシート状のプラスチック製の補強材８を挿入している。ここで、補強材８は、表面材７と比べて硬くて薄い材質のものを用いている。
【００２０】
下側のプレート３は、図１〜図４及び図６に示すように、円板状の皮製の上側表面材９とこの上側表面材９よりも一回り小さい円板状の皮製の下側表面材10との間に下側表面材10よりもさらに一回り小さい円板状のプラスチック製の補強材11を貼着している。ここでも、補強材11は、上下側表面材9,10と比べて硬くて薄い材質のものを用いている。
【００２１】
また、下側のプレート３には、上側表面材９と補強材11の中央部にスリット12を形成し、このスリット12に左右のベルト構成体5,6を挿入し、さらに、このベルト構成体5,6の端部を下側表面材10と補強材11との間に貼着している。
【００２２】
なお、図７に示すように、下側のプレート３の上側表面材９と補強材11の中央部に左右一対のスリット13,14を形成し、このスリット13,14にベルト４の中途部を挿入することによって、ベルト４を中途部で折り曲げた状態で下側のプレート３にベルト４を固定するようにしてもよい。
【００２３】
上側のプレート２は、図１〜図４及び図８に示すように、円板状の皮製の上側表面材15と下側表面材16との間に両表面材15,16よりも一回り小さい円板状のプラスチック製の補強材17を貼着している。ここでも、補強材17は、上下側表面材15,16と比べて硬くて薄い材質のものを用いている。
【００２４】
また、上側のプレート２には、上下側表面材15,16及び補強材17の中央部にスリット18を形成し、このスリット18に左右のベルト構成体5,6を挿入している。
【００２５】
さらに、上側のプレート２には、スリット18の左右側部の上側表面材15に左右一対のスリット19,20を形成し、このスリット19,20に左右のベルト構成体5,6をそれぞれ挿入している。
【００２６】
このように、スリット19,20に左右のベルト構成体5,6を挿入することで、ベルト構成体5,6の中途部が上側のプレート２に保持されることになるため、これらのスリット19,20がベルト４の中途部を保持するためのベルト保持部21,22を構成することになる。
【００２７】
そして、指間装着具１は、左右のベルト構成体5,6をスリット19,20に対して左右に引っ張ることによって、上側のプレート２に保持されるベルト構成体5,6の取付位置を変更でき、上下のプレート2,3の間隔を変更することができる。
【００２８】
このように、指間装着具１は、ベルト４の先端部を取付けたプレート２にスリット18を形成するとともに、このスリット18の左右側部にベルト４の中途部を保持するベルト保持部21,22を形成し、ベルト４を構成する左右一対のベルト構成体5,６をスリット18に挿通するとともに、それぞれのベルト構成体5,６をベルト保持部21,22で保持し、それぞれのベルト構成体5,6の先端部を左右側方へ向けて伸延させている。
【００２９】
そのため、指間装着具１は、左右のベルト構成体5,6を左右側方へ向けて引っ張るだけでベルト４の先端部の取付位置を変更することができ、上下のプレート2,3の間隔を使用者の手又は足のサイズに応じた間隔に容易に変更することができ、使用者の手や足に安定して指間装着具１を装着することができる。
【００３０】
特に、上記指間装着具１では、上下のプレート2,3及びベルト４を補強材8,11,17とこの補強材8,11,17を被覆する表面材7,9,10,15,16とで構成し、補強材8,11,17を表面材7,9,10,15,16よりも硬くて薄い材質としているために、補強材8,11,17によって指間装着具１の強度を増大させることができるとともに、柔らかい表面材7,9,10,15,16が指に接触することになって指の表面に指間装着具１を密着させることができる。
【００３１】
また、図９及び図10に示すように、指間装着具23は、下側のプレート３の下面に円板状の面ファスナー24を貼着するとともに、ベルト構成体5,6の先端部の片面に矩形板状の面ファスナー25を貼着して、ベルト４の基端部を取付けた下側のプレート３にベルト４の先端部を着脱自在に取付けられるようにしている。
【００３２】
このように、上記指間装着具23では、ベルト４の基端部を取付けたプレート３にベルト４の先端部を着脱自在に取付可能としているために、ベルト４を指に巻きつけた状態で固定することができ、使用者の手や足に安定して指間装着具23を装着することができる。
【００３３】
さらに、図11及び図12に示すように、指間装着具26は、上下のプレート2,3の間に位置するベルト４に断面横長環状の皮製のカバー27を取付け、このカバー27によってベルト４の指間に装着される部分を被覆している。
【００３４】
このように、上記指間装着具26では、上下のプレート2,3の間にベルト４を被覆するカバー27を取付けることにしているために、指間の間隔を広くしたり、指の付け根部分の刺激を強くしたりすることができ、また、ベルト４の角部が指に直接接触しなくなって指間装着具26を装着したときの異物感を無くすことができる。
【図面の簡単な説明】
【００３５】
【図１】本考案に係る指間装着具を示す斜視図。
【図２】同平面図。
【図３】同正面図。
【図４】同右側面図。
【図５】ベルトを示す断面図。
【図６】下側のプレートを示す断面図。
【図７】他の下側のプレートを示す断面図。
【図８】上側のプレートを示す断面図。
【図９】他の指間装着具を示す斜視図。
【図１０】同部分拡大断面図。
【図１１】他の指間装着具を示す斜視図。
【図１２】同部分拡大断面図。
【符号の説明】
【００３６】
１  指間装着具                            2,3  プレート
４  ベルト                                5,6  ベルト構成体
７  表面材                                ８  補強材
９  上側表面材                            10  下側表面材
11  補強材                                12  スリット
13,14  スリット                           15  上側表面材
16  下側表面材                            17  補強材
18  スリット                              19,20  スリット
21,22  ベルト保持部                       23  指間装着具
24  面ファスナー                          25  面ファスナー
26  指間装着具                            27  カバー
【図１】
0003110797.tif 000003
【図２】
0003110797.tif 000004
【図３】
0003110797.tif 000005
【図４】
0003110797.tif 000006
【図５】
0003110797.tif 000007
【図６】
0003110797.tif 000008
【図７】
0003110797.tif 000009
【図８】
0003110797.tif 000010
【図９】
0003110797.tif 000011
【図１０】
0003110797.tif 000012
【図１１】
0003110797.tif 000013
【図１２】
0003110797.tif 000014